(57)【要約】【課題】間接活線工具を用いて間接活線作業を行う際の作業者の負担を軽減可能な間接活線工具支持具を提供すること。【解決手段】ホットスティック支持具１０は、電柱１に架設された電線に対して間接活線作業を行う際に使用され、当該間接活線作業に応じた先端工具２０ａを取り付け可能な絶縁操作棒２１を有するホットスティック（間接活線工具）２０を支持するものである。ホットスティック支持具１０は、電柱１に装着される電柱装着部３０と、絶縁操作棒２１に装着される棒装着部５０と、電柱装着部３０と棒装着部５０とを連結する連結部４０と、絶縁操作棒２１の軸方向中間部の近傍から基端部側に向けて分岐して延びる分岐棒部５７と、電柱１に装着された電柱装着部３０の下方に離間して配置され、分岐棒部５７の先端部５７ａを支持する分岐棒部支持部６０と、を備える。【選択図】図９
2010239795.tif 000002
【特許請求の範囲】
【請求項１】
電柱に架設された電線に対して間接活線作業を行う際に使用され、当該間接活線作業に応じた先端工具を取り付け可能な絶縁操作棒を有する間接活線工具を支持する間接活線工具支持具であって、
前記電柱に装着される電柱装着部と、
前記絶縁操作棒の軸方向中間部の近傍に装着される棒装着部と、
前記電柱装着部と前記棒装着部とを連結する連結部と、
前記絶縁操作棒の軸方向中間部の近傍から基端部側に向けて分岐して延びる分岐棒部と、
前記電柱に装着された前記電柱装着部の下方に離間して配置され、前記分岐棒部の先端部を支持する分岐棒部支持部と、
を備えることを特徴とする間接活線工具支持具。
【請求項２】
前記分岐棒部は、前記絶縁操作棒に着脱自在に設けられることを特徴とする請求項１に記載の間接活線工具支持具。
【請求項３】
前記電柱装着部は、前記電柱の太さに応じて当該電柱を着脱自在に巻回し、又は着脱自在に挟持するように形成されることを特徴とする請求項１又は２に記載の間接活線工具支持具。
【請求項４】
前記連結部は、前記電柱装着部と前記棒装着部との距離を調節可能に形成されることを特徴とする請求項１から３のいずれかに記載の間接活線工具支持具。
【請求項５】
前記分岐棒部支持部は、上方に開口する凹部を有して前記分岐棒部の先端部を収容可能に形成され、前記電柱の太さに応じて当該電柱を着脱自在に巻回し、又は着脱自在に挟持するように形成されることを特徴とする請求項１から４のいずれかに記載の間接活線工具支持具。
【発明の詳細な説明】
【技術分野】
【０００１】
本発明は、間接活線工具を支持する間接活線工具支持具に関する。
【背景技術】
【０００２】
従来より、電柱間に架設された電線の配電工事等を行う際には、電線に電気を通電させたまま、つまり無停電の状態で作業が行われる。そして、このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
しかしながら、直接活線工法は、感電等を防止するために大掛かりな絶縁保護具を着用して作業を行うため、間接活線工法よりも作業効率が低下すると共に、作業者が通電中の電線に直接触れて作業を行うため、作業者が不慮の感電をするおそれがある。そのため、近年においては、作業効率の向上や作業環境の改善等の観点から、間接活線工具を使用した間接活線工法が主流となってきている。
【０００４】
ところで、上述の間接活線工法においては、ホットスティックのような間接活線工具を用いて作業が行われる。ホットスティックは、例えば、駆動ユニット及び駆動ユニットを操作可能な操作部を備えた棒状の絶縁操作棒と、絶縁操作棒の先端に設けられ、駆動ユニットに接続されると共に、作業内容により交換可能に構成された先端工具と、を備えて構成されている。操作部は、電気的に絶縁された絶縁操作棒の基端部に設けられており、当該基端部には、作業者が把持可能な取手部が設けられている。作業者は、一方の手で取手部を把持し、他方の手で操作部を操作して間接活線作業を行う（例えば、特許文献１参照）。
【先行技術文献】
【特許文献】
【０００５】
【特許文献１】特開平７−２２２３１７号公報
【発明の概要】
【発明が解決しようとする課題】
【０００６】
しかしながら、特許文献１に記載のホットスティックを使用して間接活線作業を行う場合、作業者は、一方の手でホットスティックを支え、他方の手でホットスティックを操作しながら作業を行う。つまり、作業者は、片手でホットスティックを支持しながら作業を行っていた。そのため、作業者の一方の手にホットスティックの荷重が集中してしまい、作業者は、一方の手が直ぐに疲れるという問題があった。そして、このことは、間接活線工法において作業効率を低下させる要因の１つとなっていた。
【０００７】
これに対しては、例えば、高所作業車の作業台（バケット）にホットスティックを保持する保持装置を設け、この保持装置にホットスティックを保持させた状態で作業者が作業を行うことにより、作業者の一方の手に係る負担を軽減することが可能となる。
【０００８】
しかしながら、高所作業車での作業は、平地等の駐車可能な場所での作業を前提としており、例えば、山間部等の駐車が困難な場所や駐車スペースが確保できない場所等では作業ができないという問題がある。
また、例えば、ホットスティックを保持して作業を可能とする上記保持装置は、複雑な構造を有する場合が多く、コストがかかるという問題があった。
【０００９】
本発明は、上記に鑑みてなされたものであって、間接活線工具を用いて間接活線作業を行う際の作業者の負担を容易に軽減可能な間接活線工具支持具を提供することを目的とする。
【課題を解決するための手段】
【００１０】
上記目的を達成するため、本発明は、以下のような間接活線工具支持具を提供する。
【００１１】
（１）  電柱に架設された電線に対して間接活線作業を行う際に使用され、当該間接活線作業に応じた先端工具を取り付け可能な絶縁操作棒を有する間接活線工具を支持する間接活線工具支持具であって、前記電柱に装着される電柱装着部と、前記絶縁操作棒に装着される棒装着部と、前記電柱装着部と前記棒装着部とを連結する連結部と、前記絶縁操作棒の軸方向中間部の近傍から基端部側に向けて分岐して延びる分岐棒部と、前記電柱に装着された前記電柱装着部の下方に離間して配置され、前記分岐棒部の先端部を支持する分岐棒部支持部と、を備えることを特徴とする。
【００１２】
（２）  （１）に記載の発明においては、前記分岐棒部は、前記絶縁操作棒に着脱自在に設けられることが好ましい。
【００１３】
（３）  （１）又は（２）に記載の発明においては、前記電柱装着部は、前記電柱の太さに応じて当該電柱を着脱自在に巻回し、又は着脱自在に挟持するように形成されることが好ましい。
【００１４】
（４）  （１）から（３）のいずれかに記載の発明においては、前記連結部は、前記電柱装着部と前記棒装着部との距離を調節可能に形成されることが好ましい。
【００１５】
（５）  （１）から（４）のいずれかに記載の発明においては、前記分岐棒部支持部は、上方に開口する凹部を有して前記分岐棒部の先端部を収容可能に形成され、前記電柱の太さに応じて当該電柱を着脱自在に巻回し、又は着脱自在に挟持するように形成されることが好ましい。
【発明の効果】
【００１６】
本発明によれば、間接活線工具を用いて間接活線作業を行う際の作業者の負担を軽減可能な間接活線工具支持具を提供することができる。
【図面の簡単な説明】
【００１７】
【図１】間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【図２】第１実施形態に係るホットスティック支持具が装着されたホットスティックを示す斜視図である。
【図３】ホットスティック支持具の電柱装着部と連結部と棒装着部とを示す組立斜視図である。
【図４】ホットスティック支持具の電柱装着部と連結部と棒装着部とを示す分解斜視図である。
【図５】（ａ）は、ホットスティック支持具の棒装着部を示す斜視図であり、（ｂ）は、（ａ）の断面図である。
【図６】（ａ）は、ホットスティック支持具の分岐棒部及び分岐棒部装着部を示す斜視図であり、（ｂ）は、（ａ）の断面図である。
【図７】ホットスティック支持具の分岐棒部支持部の閉じた状態を示す斜視図である。
【図８】ホットスティック支持具の分岐棒部支持部の開いた状態を示す斜視図である。
【図９】ホットスティック支持具の使用状態を示す図である。
【図１０】第２実施形態に係るホットスティック支持具の電柱装着部を示す側面図である。
【図１１】図１０に示した電柱装着部を示す平面図である。
【図１２】第３実施形態に係るホットスティック支持具の分岐棒部支持部を示す側面図である。
【図１３】図１２に示した分岐棒部支持部を示す平面図である。
【図１４】第４実施形態に係るホットスティック支持具の電柱装着部を電柱に装着した状態を示す斜視図である。
【図１５】電柱装着部を示す平面図である。
【図１６】第５実施形態に係るホットスティック支持具の分岐棒部支持部を電柱に装着した状態を示す斜視図である。
【図１７】分岐棒部支持部を示す平面図である。
【発明を実施するための形態】
【００１８】
以下に、本発明の実施形態を図面に基づいて詳細に説明する。なお、この実施形態により本発明が限定されるものではない。
【００１９】
〔第１実施形態〕
図１は、間接活線工具の例を示す図であり、（ａ）は２軸回転操作棒を示す図、（ｂ）はストレーリンクトングを示す図、（ｃ）は絶縁ヤットコを示す図、（ｄ）は共用操作棒を示す図である。
【００２０】
＜間接活線工具の説明＞
間接活線工具としては、ホットスティックの他、例えば、図１（ａ）〜（ｄ）に示す２軸回転操作棒、ストレーリンクトング、絶縁ヤットコ、共用操作棒等があるが、以下の説明においては、作業内容により交換が可能な先端工具を有するホットスティック（間接活線工具）に取り付け可能なホットスティック支持具（間接活線工具支持具）を例に挙げて説明する。
【００２１】
最初に、本実施形態に係るホットスティック支持具が取り付けられるホットスティックについて図２を参照して説明する。図２は、第１実施形態に係るホットスティック支持具が装着されたホットスティックを示す斜視図である。
【００２２】
図２に示すように、ホットスティック２０は、先端工具２０ａと、丸棒状の絶縁操作棒２１と、を備える。
【００２３】
先端工具２０ａは、絶縁操作棒２１の先端に着脱可能に取り付けられている。また、先端工具２０ａは、絶縁操作棒２１の先端に取り付けられることにより、絶縁操作棒２１に設けられる後述の駆動ユニット２２に接続されるように構成されている。
【００２４】
絶縁操作棒２１は、駆動ユニット２２と、駆動ユニット２２を操作可能な操作部２３と、を有して構成されている。
駆動ユニット２２は、絶縁操作棒２１の先端に取り付けられた先端工具２０ａを駆動可能に構成されている。具体的には、駆動ユニット２２は、本体部（図示せず）と、駆動部（図示せず）と、を有して構成されている。
【００２５】
本体部は、絶縁操作棒２１の基端部側に配設されており、操作部２３と接続されている。また、本体部は、操作部２３により操作された操作内容を駆動部に伝達させる。
【００２６】
駆動部は、絶縁操作棒２１の内部に配設されており、本体部と先端工具２０ａとを接続させている。また、駆動部は、本体部により伝達された操作内容を先端工具２０ａに伝達し、先端工具２０ａを駆動させる。
【００２７】
操作部２３は、絶縁操作棒２１の基端部に設けられており、作業者により操作可能に構成されている。また、操作部２３は、駆動ユニット２２の本体部に接続されており、駆動ユニット２２を操作可能に構成されている。
【００２８】
つまり、作業者は、操作部２３を操作することにより、絶縁操作棒２１の先端に設けられ、駆動ユニット２２の駆動部に接続された先端工具２０ａを操作することができる。
【００２９】
＜ホットスティック支持具の説明＞
次に、本実施形態に係るホットスティック支持具１０について説明する。
図３は、ホットスティック支持具の電柱装着部と連結部と棒装着部とを示す組立斜視図である。図４は、ホットスティック支持具の電柱装着部と連結部と棒装着部とを示す分解斜視図である。
【００３０】
図２に示すように、ホットスティック支持具１０は、電柱１に装着される電柱装着部３０と、絶縁操作棒２１に装着される棒装着部５０と、電柱装着部３０と棒装着部５０とを連結する連結部４０と、絶縁操作棒２１の軸方向中間部の近傍から基端部側に向けて分岐して延びる分岐棒部５７と、電柱１に装着された電柱装着部３０の下方に離間して配置され、分岐棒部５７の先端部５７ａを支持する分岐棒部支持部６０と、を備える。
【００３１】
＜電柱装着部の説明＞
電柱装着部３０は、図３及び図４に示すように、開閉可能な円環状に形成され、電柱１（図２参照）に装着される部材である。
すなわち、電柱装着部３０は、分割リング部３１，３２と、ヒンジ部３３と、ロック部３４と、連結片３６と、を備える。
【００３２】
分割リング部３１，３２は、電柱１（図２参照）の外周面に当接可能となるように、金属製（例えば、鋼製）の帯板を半円弧状に湾曲したものである。また、分割リング部３１，３２は、電柱１に設けられた足場ボルト（図示せず）に係合可能な逆Ｕ字状の係合溝３５を下縁部に複数有している。
【００３３】
ヒンジ部３３は、分割リング部３１の一端と分割リング部３２の一端とを回動自在に連結している。すなわち、分割リング部３１，３２は、このヒンジ部３３によって開閉自在に連結されている。
【００３４】
ロック部３４は、分割リング部３１，３２が閉じた状態を保持する部材である。
すなわち、ロック部３４は、分割リング部３１の一端部に所定ピッチで設けられた複数の係止穴３４ａと、分割リング部３２の一端部に設けられ、係止穴３４ａに係止可能に形成された係止片３４ｂと、係止穴３４ａに係止片３４ｂが係止された状態（ロック状態）を維持又は解除するロック機構部３４ｃと、を備える。
【００３５】
分割リング部３１の一端部に係止穴３４ａを所定ピッチで複数設けることにより、電柱１の太さに応じて、分割リング部３１，３２を重ね合わせる量を調節することが可能となる。すなわち、電柱装着部３０は、種々の太さの電柱１に装着できるように構成されている。
【００３６】
連結片３６は、分割リング部３２の外周面から突設され、後述する連結部４０のフック部４７を連結可能に構成されている。
すなわち、連結片３６は、フック部４７を係止可能な係止穴３６ａを有している。連結片３６の係止穴３６ａと連結部４０のフック部４７とは、互いに係止することで連結部４０と電柱装着部３０とを連結させる。
【００３７】
＜連結部の説明＞
連結部４０は、帯状に形成されている。連結部４０は、電柱装着部３０と、棒装着部５０とを連結する。また、連結部４０は、伸縮部４０ａと、調整部４１と、を備える。
【００３８】
伸縮部４０ａは、絶縁性を有する弾性材料（例えば、弾性ゴム等）により帯状に形成されており、所定の応力が加わると延伸するように形成されている。
また、伸縮部４０ａの一方側の端部には、フック部４２が設けられている。フック部４２は、棒装着部５０と連結可能に形成されており、連結部４０と棒装着部５０とを連結する。
【００３９】
なお、フック部４２は、棒装着部５０との連結状態を維持するロック機能を備えている。一方、伸縮部４０ａの他方側は、調整部４１と連続している。
【００４０】
調整部４１は、絶縁性部材により帯状に形成されており、連結部４０の長さを調節可能に形成されている。
具体的には、調整部４１には、調整バックル４３が取り付けられており、調整部４１は、調整バックル４３を調整することにより連結部４０の長さを調節可能に構成されている。また、調整部４１は、バックル４６と係合しており、バックル４６を介して電柱装着部３０と連結部４０とを連結させている。
【００４１】
バックル４６の一方側の端部には、フック部４７が設けられている。フック部４７は、電柱装着部３０の連結片３６と連結可能に形成されており、連結部４０と棒装着部５０とを連結する。
なお、フック部４７は、連結片３６との連結状態を維持するロック機能を備えている。
【００４２】
＜棒装着部の説明＞
図５（ａ）は、ホットスティック支持具の棒装着部を示す斜視図であり、図５（ｂ）は、図５（ａ）の断面図である。
図５（ａ）及び図５（ｂ）に示すように、棒装着部５０は、円筒部５０ａと、開口部５１と、を備える。また、棒装着部５０は、弾性材料（例えば、樹脂等）により形成されており、弾性変形可能に形成されている。
【００４３】
円筒部５０ａは、略円筒形状に形成されており、その内径が、絶縁操作棒２１の外形よりも大きくなるように形成されている。円筒部５０ａは、内径を絶縁操作棒２１の外形よりも大きくすることにより、円筒部５０ａの内部（中空部）に絶縁操作棒２１を挿入可能になるように構成されている。
【００４４】
また、円筒部５０ａの外周面には、外方に突出した係止部５３が形成されている。係止部５３には、フック部４２（図３参照）が係止可能な係止穴５３ａが形成されている。つまり、連結部４０と棒装着部５０とは、フック部４２を係止部５３に係止させることにより連結される。
【００４５】
更に、円筒部５０ａの外周面には、ねじ穴部５４が設けられている。ねじ穴部５４は、ねじ穴５５と、ねじ５６と、を有して構成されている。ねじ穴５５は、円筒部５０ａを貫通するように形成されており、ねじ５６が螺合可能なねじ溝（図示せず）が設けられている。
【００４６】
ねじ５６は、円筒部５０ａを貫通可能な長さに形成されており、ねじ穴５５に設けられたねじ溝に沿ってねじ穴５５に螺合可能に形成されている。
【００４７】
開口部５１は、円筒部５０ａの外周面を円筒部５０ａの長手方向（軸方向）に切り欠いたスリット状に形成されている。また、開口部５１には、外方に広がる一対のフランジ部５１ａ，５１ｂが設けられている。
【００４８】
一対のフランジ部５１ａ，５１ｂそれぞれは、開口部５１の端縁部から外方に向かって開口部５１の開口幅よりも広がるように突出した状態に形成されている。また、一対のフランジ部５１ａ，５１ｂそれぞれは、絶縁操作棒２１と当接可能に形成されている。
【００４９】
開口部５１は、絶縁操作棒２１を一対のフランジ部５１ａ，５１ｂに当接させた後、更に円筒部５０ａの内部方向に絶縁操作棒２１を押し込むことにより、開口部５１が弾性変形して幅方向に広がり、絶縁操作棒２１が円筒部５０ａの内部に挿入されるように構成されている。
【００５０】
＜分岐棒部及び分岐棒部装着部の説明＞
図６（ａ）は、ホットスティック支持具の分岐棒部及び分岐棒部装着部を示す斜視図であり、図６（ｂ）は、図６（ａ）の断面図である。
【００５１】
分岐棒部５７は、絶縁操作棒２１に対して傾斜して設けられ、先端部５７ａを後述する分岐棒部支持部６０によって支持される（図２参照）。
すなわち、分岐棒部５７は、図６及び図２に示すように、絶縁操作棒２１の軸方向中間部の近傍から基端部側に向けて分岐して延びるように、分岐棒部装着部５８を介して絶縁操作棒２１に着脱自在に設けられる。
分岐棒部５７は、絶縁操作棒２１と略同一径の円筒であり、後述する分岐棒部装着部５８の円筒部６０ａに固定されている。
【００５２】
分岐棒部装着部５８は、上述した棒装着部５０（図５参照）と略同様に構成されている。すなわち、分岐棒部装着部５８は、円筒部６０ａと、開口部６１と、を備える。また、分岐棒部装着部５８は、弾性材料（例えば、樹脂等）により形成されており、弾性変形可能に形成されている。
【００５３】
円筒部６０ａは、略円筒形状に形成されており、その内径が、絶縁操作棒２１の外形よりも大きくなるように形成されている。円筒部６０ａは、内径を絶縁操作棒２１の外形よりも大きくすることにより、円筒部６０ａの内部（中空部）に絶縁操作棒２１を挿入可能になるように構成されている。
【００５４】
また、円筒部６０ａの外周面には、外方に傾斜して突出した上記分岐棒部５７が固定されている。
【００５５】
更に、円筒部６０ａの外周面には、ねじ穴部６４が設けられている。ねじ穴部６４は、ねじ穴６５と、ねじ６５ａと、を有して構成されている。ねじ穴６５は、円筒部６０ａを貫通するように形成されており、ねじ６５ａが螺合可能なねじ溝（図示せず）が設けられている。
【００５６】
ねじ６５ａは、円筒部６０ａを貫通可能な長さに形成されており、ねじ穴６５に設けられたねじ溝に沿ってねじ穴６５に螺合可能に形成されている。
【００５７】
開口部６１は、円筒部６０ａの外周面を円筒部６０ａの長手方向（軸方向）に切り欠いたスリット状に形成されている。また、開口部６１には、外方に広がる一対のフランジ部６１ａ，６１ｂが設けられている。
【００５８】
一対のフランジ部６１ａ，６１ｂそれぞれは、開口部６１の端縁部から外方に向かって開口部６１の開口幅よりも広がるように突出した状態に形成されている。また、一対のフランジ部６１ａ，６１ｂそれぞれは、絶縁操作棒２１と当接可能に形成されている。
【００５９】
開口部６１は、絶縁操作棒２１を一対のフランジ部６１ａ，６１ｂに当接させた後、更に円筒部６０ａの内部方向に絶縁操作棒２１を押し込むことにより、開口部６１が弾性変形して幅方向に広がり、絶縁操作棒２１が円筒部６０ａの内部に挿入されるように構成されている。
【００６０】
＜分岐棒部支持部の説明＞
次に、分岐棒部支持部６０について図２、図７及び図８を参照して説明する。
図７は、ホットスティック支持具の分岐棒部支持部の閉じた状態を示す斜視図である。図８は、ホットスティック支持具の分岐棒部支持部の開いた状態を示す斜視図である。
【００６１】
分岐棒部支持部６０は、図２に示すように、電柱１に装着された電柱装着部３０の下方に離間して配置され、分岐棒部５７の先端部５７ａを支持する。分岐棒部支持部６０は、図７及び図８に示すように、分割リング部３１，３２と、ヒンジ部３３と、ロック部３４と、上方に開口部６６ａを有するポケット部６６と、を備える。
【００６２】
分割リング部３１，３２、ヒンジ部３３及びロック部３４は、上記電柱装着部３０の構成と同一であるので重複説明を省略し、ポケット部６６について説明する。
【００６３】
ポケット部６６は、図２に示すように、分岐棒部５７の先端部５７ａを支持する。すなわち、ポケット部６６は、図２、図７及び図８に示すように、上方に開口部６６ａを有する袋状に形成され、分割リング部３２の外周面に固定されている。
【００６４】
＜ホットスティック支持具の使用方法の説明＞
次に、本実施形態に係るホットスティック支持具１０の使用方法について図９を参照して説明する。
【００６５】
図９に示すように、ホットスティック支持具１０は、例えば、高所作業車のバケット１００上で、間接活線作業を行う作業者Ｗが使用するホットスティック２０を、電柱１に支持させて使用される。
【００６６】
先ず、作業者Ｗは、電柱１の所定箇所に電柱装着部３０を装着し、この電柱装着部３０の下方に所定距離、離間させて電柱１に分岐棒部支持部６０を装着する。
具体的には、電柱装着部３０及び分岐棒部支持部６０の分割リング部３１，３２を開いて（図４及び図８参照）、電柱１の所定箇所に位置決めしてから閉じ、適宜位置の係止穴３４ａに係止片３４ｂを係止する。そして、ロック部３４をロックする（図３及び図７参照）。
電柱装着部３０及び分岐棒部支持部６０は、種々の太さの電柱１に装着できるように構成されているので、高さ方向で太さの異なる電柱１に対して、任意の高さに装着することができる。
【００６７】
次に、作業者Ｗは、ホットスティック２０の絶縁操作棒２１に棒装着部５０を装着する。具体的には、図５（ｂ）に示す矢印の方向に、絶縁操作棒２１を開口部５１から押し込む。
開口部５１は、絶縁操作棒２１の外径よりも小さいが、棒装着部５０が弾性材料により弾性変形可能に形成されているので、開口部５１に絶縁操作棒２１を押し込もうとすると、開口部５１が広がり、容易に絶縁操作棒２１を円筒部５０ａの内部に挿入することができる。
【００６８】
絶縁操作棒２１を円筒部５０ａに挿入した後、ねじ穴部５４のねじ５６を締める方向に回動すると、ねじ５６が円筒部５０ａの内部（中空部）側に前進し、絶縁操作棒２１を押圧する。これにより、絶縁操作棒２１が円筒部５０ａの内部で締め付けられて、棒装着部５０が絶縁操作棒２１に固定される。
【００６９】
同様にして、絶縁操作棒２１に分岐棒部装着部５８を装着することにより、分岐棒部５７を絶縁操作棒２１に固定する。
【００７０】
次に、作業者Ｗは、連結部４０の調整部４１（図３参照）を調整し、連結部４０の長さを調節する。連結部４０の長さは、作業者Ｗと工事対象物との距離、又は先端工具２０ａと工事対象物との距離等により調節される。
【００７１】
続いて、作業者Ｗは、連結部４０のフック部４７を、電柱装着部３０の連結片３６に連結させる（図３参照）。
また、作業者Ｗは、分岐棒部５７の先端部５７ａを分岐棒部支持部６０のポケット部６６に挿入する（図９参照）。
これにより、図９に示すように、ホットスティック２０は、ホットスティック支持具１０によって電柱１に支持される。
【００７２】
そして、図９に示すように、作業者Ｗは、ホットスティック支持具１０によって電柱１に支持されたホットスティック２０を把持して、所定の間接活線作業に取りかかる。
【００７３】
＜ホットスティック支持具が奏する効果の説明＞
上述した構成を有する第１実施形態に係るホットスティック支持具１０によれば、以下に示す効果が奏される。
【００７４】
ホットスティック支持具１０は、図９に示すように、電柱１に装着される電柱装着部３０と、絶縁操作棒２１に装着される棒装着部５０と、電柱装着部３０と棒装着部５０とを連結する連結部４０と、分岐棒部５７の先端部５７ａを支持する分岐棒部支持部６０と、を備える。
【００７５】
このため、ホットスティック支持具１０は、電柱装着部３０及び分岐棒部支持部６０を電柱１に装着することにより、ホットスティック２０の荷重を電柱１で支持することができる。
したがって、作業者Ｗが手のみでホットスティック２０を支持する場合と異なり、作業負担及び疲労を大幅に軽減することができ、作業効率を向上することができる。
【００７６】
また、ホットスティック支持具１０は、構成要素も少なく、簡易な構成であるため、多大な費用をかけることなくホットスティック支持具１０を製造することができる。
【００７７】
また、ホットスティック支持具１０の電柱装着部３０及び分岐棒部支持部６０は、分割リング部３１，３２と、ヒンジ部３３と、ロック部３４と、を備える。
このため、高さ方向で太さの異なる電柱１であっても、任意の高さに装着することができる。
【００７８】
また、ホットスティック支持具１０の連結部４０は、伸縮部４０ａと、調整部４１と、を備える。
このため、作業者Ｗは、電柱装着部３０と棒装着部５０との距離を任意に調節することができるので、ホットスティック２０を作業し易い傾きで電柱１に支持させることができる。したがって、作業負担及び疲労を軽減することができ、作業効率を向上することができる。
【００７９】
なお、本発明は、上記実施形態に何ら限定されることなく、本発明の技術的範囲はこれらに限定されるものではない。
【００８０】
例えば、上記実施形態においては、ホットスティック支持具１０の連結部４０は、帯状に形成されているものとして説明したが、これに限定されず、例えば、紐状に形成されていてもよい。
【００８１】
また、例えば、上記実施形態においては、棒装着部５０には、ねじ穴部５４を設け、このねじ穴部５４により、棒装着部５０を絶縁操作棒２１に装着するものとして説明したが、これに限定されない。
【００８２】
例えば、面ファスナーを絶縁操作棒２１に巻き付けて固定する構成であってもよい。棒装着部５０は、絶縁操作棒２１に装着可能な構成であればよい。
【００８３】
また、上記実施形態においては、分岐棒部支持部６０は、ポケット部６６を備えるものとして説明したが、分岐棒部５７の先端部５７ａを支持可能であれば、ポケット部６６に限定されない。
【００８４】
〔第２実施形態〕
図１０は、第２実施形態に係るホットスティック支持具の電柱装着部を示す側面図、図１１は、図１０に示した電柱装着部を示す平面図である。
【００８５】
第２実施形態は、高さ方向で太さの異なる電柱１であっても、任意の高さに装着することができる、いわゆる自在バンドとしての電柱装着部１３０を備えるホットスティック支持具（全体構成は図示せず）を提供するものである。
【００８６】
この第２実施形態に係るホットスティック支持具は、上記第１実施形態で示した連結部４０及び棒装着部５０を備えている。以下、上記第１実施形態と異なる構成について説明する。
【００８７】
＜電柱装着部の説明＞
電柱装着部１３０は、図１０及び図１１に示すように、バンド本体１３１と、バンド本体１３１に設けられた係止穴１３１ａと、バンド本体１３１の一端に固定された補強管１３３と、補強管１３３に設けられた貫通穴１３３ａと、貫通穴１３３ａに挿通されるフックボルト１３４と、フックボルト１３４に螺合される段付ナット１３５と、バンド本体１３１に突設された連結片１３６と、を備える。
【００８８】
バンド本体１３１は、鋼材等の金属材料で帯状に形成され、電柱１に巻き付けられる。バンド本体１３１は、長手方向に沿って、後述するフックボルト１３４のフック部１３４ａを引っ掛けるための係止穴１３１ａが等間隔に複数穿設されている。
【００８９】
補強管１３３は、円筒状に形成されている。補強管１３３は、円筒の中心がバンド本体１３１の長手方向と略直交するように、当該バンド本体１３１の一端に固定されている。補強管１３３には、円筒の中心と略直交するように貫通穴１３３ａが設けられている。
【００９０】
フックボルト１３４は、外周面の一部に雄ねじが形成されており、先端部にフック部１３４ａを有する。このフック部１３４ａは、バンド本体１３１に設けられた係止穴１３１ａに引っ掛け可能となるように略Ｕ字状に形成されている。
【００９１】
このように構成されたフックボルト１３４は、補強管１３３の貫通穴１３３ａに挿通され、当該フックボルト１３４の後端部側（フック部１３４ａを有していない側）に段付ナット１３５が螺合されることにより、バンド本体１３１と一体となる。
【００９２】
連結片１３６は、係止穴１３６ａを有し、バンド本体１３１の外周面に突設されている。連結片１３６の係止穴１３６ａには、上述した連結部４０のフック部４７が係止される。これにより、連結部４０と電柱装着部１３０とが連結されるようになっている。
【００９３】
このように構成された電柱装着部１３０は、フックボルト１３４のフック部１３４ａを係止穴１３１ａに引っ掛けた後に段付ナット１３５を適宜締めることによって、電柱１に巻き付けられたバンド本体１３１の径が小さくなるので、任意の太さの電柱１に容易かつ強固に装着される。
【００９４】
なお、バンド本体１３１の径を大きくし、フック部１３４ａを係止穴１３１ａから外す場合には、段付ナット１３５を緩めればよい。これにより、電柱装着部１３０を電柱１から容易に取り外すことができる。
【００９５】
＜ホットスティック支持具が奏する効果の説明＞
以上のように、第２実施形態に係るホットスティック支持具によれば、上記第１実施形態の奏する効果と同様の効果を奏し、高さ方向で太さの異なる電柱１であっても、電柱装着部１３０を電柱１の任意の高さに装着することができる。
【００９６】
〔第３実施形態〕
図１２は、第３実施形態に係るホットスティック支持具の分岐棒部支持部を示す側面図である。図１３は、図１２に示した分岐棒部支持部を示す平面図である。
【００９７】
第３実施形態は、高さ方向で太さの異なる電柱１であっても、任意の高さに装着することができる、いわゆる自在バンドとしての分岐棒部支持部１６０を備えるホットスティック支持具（全体構成は図示せず）を提供するものである。
【００９８】
この第３実施形態に係るホットスティック支持具は、上記第２実施形態で示したバンド本体１３１と、バンド本体１３１に設けられた係止穴１３１ａと、バンド本体１３１の一端に固定された補強管１３３と、補強管１３３に設けられた貫通穴１３３ａと、貫通穴１３３ａに挿通されるフックボルト１３４と、フックボルト１３４に螺合される段付ナット１３５と、を備え、更に上方に開口部１６６ａを有するポケット部１６６と、を備える。
【００９９】
バンド本体１３１、係止穴１３１ａ、補強管１３３、貫通穴１３３ａ、フックボルト１３４及び段付ナット１３５は、上記第２実施形態で示した構成と同一であるので重複説明を省略し、ポケット部１６６について説明する。
【０１００】
ポケット部１６６は、分岐棒部５７の先端部５７ａ（図２参照）を支持するために、図１２及び図１３に示すように、上方に開口部１６６ａを有する袋状に形成され、バンド本体１３１の外周面に固定されている。
【０１０１】
＜ホットスティック支持具が奏する効果の説明＞
以上のように、第３実施形態に係るホットスティック支持具によれば、上記第１実施形態の奏する効果と同様の効果を奏し、高さ方向で太さの異なる電柱１であっても、分岐棒部支持部１６０を電柱１の任意の高さに装着することができる。
【０１０２】
〔第４実施形態〕
図１４は、第４実施形態に係るホットスティック支持具の電柱装着部を電柱に装着した状態を示す斜視図、図１５は、電柱装着部を示す平面図である。
【０１０３】
第４実施形態は、電柱１への装着がきわめて容易な電柱装着部２３０を備えるホットスティック支持具（全体構成は図示せず）を提供するものである。
この第４実施形態に係るホットスティック支持具は、上記第１実施形態で示した連結部４０及び棒装着部５０を備えている。以下、上記第１実施形態と異なる構成について説明する。
【０１０４】
＜電柱装着部の説明＞
電柱装着部２３０は、図１４及び図１５に示すように、第１挟持体２３１と、第２挟持体２３２と、ヒンジ部２３３と、付勢ばね２３４と、連結部２３５と、を備える。
【０１０５】
第１挟持体２３１は、矩形形状の板状部材を、平面視略Ｃ字状となるように湾曲形成されている。第１挟持体２３１は、当該第１挟持体２３１の一端部に回動自在に設けられる第２挟持体２３２と共に、電柱１を挟持可能に構成されている。第１挟持体２３１の他端部（開放側の先端部）は、電柱１の外周面に密着可能な湾曲形状に形成されている。
【０１０６】
第２挟持体２３２は、矩形形状の板状部材の先端部を若干湾曲させ、電柱１の外周面に密着可能な形状に形成されている。第２挟持体２３２は、第１挟持体２３１の内方に配置され、かつ、第２挟持体２３２の基端部は、第１挟持体２３１の一端部とヒンジ部２３３を介して回動自在に連結されている。
【０１０７】
第２挟持体２３２の開放側の端部は、第１挟持体２３１の上記他端部（開放側の先端部）と、所定の空間（以下、電柱挿入空間と称する）を有している。この電柱挿入空間は、電柱１を挿入するスペースとなっており、電柱１の外径よりも小さく設定されている。
【０１０８】
ヒンジ部２３３には、第２挟持体２３２の開放側の端部を、第１挟持体２３１の上記他端部（開放側の先端部）に近づける向きに付勢する付勢ばね２３４が設けられている。
付勢ばね２３４は、第２挟持体２３２と第１挟持体２３１とによって電柱１を所定の押圧力で挟持でき、電柱装着部２３０を電柱１に装着できるように設けられている。
【０１０９】
電柱装着部２３０は、以上のように構成されているので、上記電柱挿入空間に電柱１を挿入すれば、第１挟持体２３１と第２挟持体２３２とによって電柱１が挟持される。これにより、電柱装着部２３０は、きわめて容易に電柱１に装着される。
【０１１０】
連結部２３５は、略コ字状の棒状部材であり、第１挟持体２３１の外表面に突設されている。連結部２３５は、上述した連結部４０のフック部４７が係止される。これにより、連結部４０と電柱装着部２３０とが連結されるようになっている。
【０１１１】
また、連結部２３５は、図１４に示すように、電柱装着部２３０を電柱１に装着する際に絶縁ヤットコ等によって把持される。これにより、作業者は、高所作業車のバケット（図示せず）等や梯子に乗らなくても地上から容易に電柱装着部２３０を電柱１に装着することができる。
【０１１２】
なお、電柱装着部２３０を電柱１から取り外す場合には、付勢ばね２３４の付勢力に抗して、第２挟持体２３２を電柱１から離れる方向に回動させ、電柱挿入空間を広げればよい。
【０１１３】
＜ホットスティック支持具が奏する効果の説明＞
以上のように、第４実施形態に係るホットスティック支持具によれば、上記第１実施形態の奏する効果と同様の効果を奏するほか、電柱装着部２３０を電柱１にきわめて容易に装着することができる。
【０１１４】
〔第５実施形態〕
図１６は、第５実施形態に係るホットスティック支持具の分岐棒部支持部を電柱に装着した状態を示す斜視図である。図１７は、分岐棒部支持部を示す平面図である。
【０１１５】
第５実施形態は、電柱１への装着がきわめて容易な分岐棒部支持部２６０を備えるホットスティック支持具（全体構成は図示せず）を提供するものである。
【０１１６】
この第５実施形態に係るホットスティック支持具は、上記第４実施形態で示した第１挟持体２３１と、第２挟持体２３２と、ヒンジ部２３３と、付勢ばね２３４と、を備え、更に上方に開口部２６６ａを有するポケット部２６６と、を備える。
【０１１７】
第１挟持体２３１、第２挟持体２３２、ヒンジ部２３３及び付勢ばね２３４は、上記第４実施形態で示した構成と同一であるので重複説明を省略し、ポケット部２６６について説明する。
【０１１８】
ポケット部２６６は、分岐棒部５７の先端部５７ａ（図２参照）を支持するために、図１６及び図１７に示すように、上方に開口部２６６ａを有する袋状に形成され、第１挟持体２３１の外周面に固定されている。
【０１１９】
＜ホットスティック支持具が奏する効果の説明＞
以上のように、第５実施形態に係るホットスティック支持具によれば、上記第１実施形態の奏する効果と同様の効果を奏するほか、分岐棒部支持部２６０を電柱１にきわめて容易に装着することができる。
【符号の説明】
【０１２０】
１  電柱
２  電線
１０  ホットスティック支持具（間接活線工具支持具）
２０  ホットスティック（間接活線工具）
２０ａ  先端工具
２１  絶縁操作棒
３０  電柱装着部
４０  連結部
５０  棒装着部
５７  分岐棒部
５７ａ  先端部
５８  分岐棒部装着部
６０  分岐棒部支持部
１３０  電柱装着部
２３０  電柱装着部
２６０  分岐棒部支持部
２６６  ポケット部
【図１】
2010239795.tif 000003
【図２】
2010239795.tif 000004
【図３】
2010239795.tif 000005
【図４】
2010239795.tif 000006
【図５】
2010239795.tif 000007
【図６】
2010239795.tif 000008
【図７】
2010239795.tif 000009
【図８】
2010239795.tif 000010
【図９】
2010239795.tif 000011
【図１０】
2010239795.tif 000012
【図１１】
2010239795.tif 000013
【図１２】
2010239795.tif 000014
【図１３】
2010239795.tif 000015
【図１４】
2010239795.tif 000016
【図１５】
2010239795.tif 000017
【図１６】
2010239795.tif 000018
【図１７】
2010239795.tif 000019